【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
長手方向軸線に沿って延在するシャフトと静止面との間にシールを形成するための複合シールアセンブリであって、
前記シャフトと接触するための動的シーリング面を有する第１の環状シール要素であって、前記動的シーリング面は第１の環状シール要素と前記シャフトとの間にシールを形成するようになっている第１の環状シール要素と、
半径方向内側端部に、その内部に前記第１の環状シール要素を収容するための圧縮可能な環状間隙を有する静止ハウジングと、を具備してなり、前記静止ハウジングは、
半径方向外側端部に、前記静止面と接触するための静的シーリング面を形成する外側ハウジングと、
前記外側ハウジング部材内に収容され、かつ可撓領域を有する内側ハウジング部材と、を具備してなり、
前記可撓領域は、
前記第１の環状シーリング要素が前記環状間隙内に収容された際に、前記第１の環状シーリング要素に当接すると共にこの前記第１のシーリング要素を前記シャフトと係合状態となるよう付勢するために前記第１の環状シーリング要素に対して半径方向荷重を作用させるための、前記環状間隙の半径方向外側境界を画定している突出部と、
前記突出部を前記内側ハウジングに対して連結するためのフレキシブルアームと、を具備してなり、
前記外側ハウジング部材と前記内側ハウジング部材とは、締まり嵌めによって結合されており、前記外側ハウジング部材は、前記内側ハウジング部材の対応する突出部を受け容れるための環状溝を具備してなることを特徴とする複合シールアセンブリ。
【請求項２】
前記シャフトと接触するための動的シーリング面を有する第２の環状シール要素をさらに具備してなり、この第２の環状シール要素は、前記環状間隙内に、前記第１の環状シーリング要素に軸方向に隣接した状態で配置されていることを特徴とする請求項１に記載の複合シールアセンブリ。
【請求項３】
前記第１および第２の環状シール要素は、実質的に、略矩形断面を有するものであることを特徴とする請求項１に記載の複合シールアセンブリ。
【請求項４】
前記外側ハウジング部材および前記内側ハウジング部材は、前記静止ハウジングの半径方向内側端部において、両者の間に前記環状間隙を協同で形成するようになっていることを特徴とする請求項１に記載の複合シールアセンブリ。
【請求項５】
前記環状間隙は、前記第１および第２のシール要素の組み合わされた幅よりも小さな幅を有することを特徴とする請求項２に記載の複合シールアセンブリ。
【請求項６】
前記環状間隙は、前記第１および第２のシール要素を収容するために変形するよう構成されており、摩擦嵌合によって前記シーリング要素を保持するようになっていることを特徴とする請求項６に記載の複合シールアセンブリ。
【請求項７】
前記突出部は、前記静止ハウジングに形成された軸方向に延在する溝と前記環状間隙との間で延在すると共に、前記突出部は、第１の半径方向に延在する間隙によって前記静止ハウジングの軸方向前側端部から離間されており、かつ第２の半径方向に延在する間隙によって前記静止ハウジングの軸方向後側端部から離間されていることを特徴とする請求項１に記載の複合シールアセンブリ。
【請求項８】
前記環状シーリング要素は、第１の割り境界面において割られていることを特徴とする請求項１に記載の複合シールアセンブリ。
【請求項９】
前記第２の環状シール要素は、第２の割り境界面において割られていることを特徴とする請求項２に記載の複合シールアセンブリ。
【請求項１０】
前記第２の割り目は、前記第１の割り境界面と互い違いに配置されていることを特徴とする請求項９に記載の複合シールアセンブリ。
【請求項１１】
前記静止ハウジングは分割されていることを特徴とする請求項１に記載の複合シールアセンブリ。
【請求項１２】
前記外側ハウジング部材は第１の割り境界面において割られており、かつ前記内側ハウジング部材は、前記第１の割り境界面と互い違いに配置された第２の割り境界面において割られていることを特徴とする請求項１に記載の複合シールアセンブリ。
【請求項１３】
前記静的シーリング面は、前記静止ハウジングの半径方向外面に形成された溝内に配設されたＯリングを具備してなることを特徴とする請求項１に記載の複合シールアセンブリ。
【請求項１４】
前記シーリング要素の前記動的シーリング面は、前記シーリング要素が前記環状間隙内に収容されたとき、前記静止ハウジングの前記半径方向内側端部を越えて突出するようになっていることを特徴とする請求項１に記載の複合シールアセンブリ。
【請求項１５】
長手方向軸線に沿って延在するシャフトと静止面との間にシールを形成するための複合シールアセンブリであって、
第１の環状シーリング要素と前記シャフトとの間にシールを形成するよう前記シャフトに当接するための、ポリテトラフルオロエチレンからなる第１の固体動的シーリング面を含む第１の環状シーリング要素と、
前記第１の動的シーリング面を前記シャフトと接触状態となるよう付勢するために半径方向荷重を作用させる静止ハウジングと、を具備してなり、前記静止ハウジングは、
外側ハウジングと、
内側ハウジングであって、前記第１の環状シーリング要素に対して前記半径方向荷重を作用させるための突出部に対して連結されたフレキシブルアームを備えた内側ハウジングと、を具備してなり、
前記外側ハウジング部材と前記内側ハウジング部材とは協同で、前記第１の環状シーリング要素を収容するための環状間隙を形成するようになっていることを特徴とする複合シールアセンブリ。
【請求項１６】
シャフトと静止面との間にシールを形成するためのシールアセンブリであって、
前記静止面に対して流体密シールを形成するための半径方向外面を有する外側ハウジング部材と、
締まり嵌めによって前記外側ハウジング部材に対して結合され、かつ一つ以上のシール要素に対して半径方向荷重を作用させるために突出部に対して連結されたフレキシブルアームを備える内側ハウジング部材と、を具備してなり、
前記外側ハウジング部材と前記内側ハウジング部材とは協同して、前記シャフトに対するシーリングのために配置される前記一つ以上のシール要素を収容するための間隙を形成するようになっていることを特徴とするシールアセンブリ。
【請求項１７】
前記内側ハウジング部材と前記外側ハウジング部材とは協同で前記静止面と共に静的シールを形成するようになっていることを特徴とする請求項１６に記載のシールアセンブリ。
【請求項１８】
シャフトと静止面との間にシールを形成するためのシールアセンブリであって、
矩形断面を有すると共に前記シャフトに対して密着するよう構成された端部を有する第１のシール要素と、
矩形断面を有すると共に前記シャフトに対して密着するよう構成された端部を有する第２のシール要素と、
前記静止面に対するシーリングのための半径方向外面を有する外側ハウジング部材と、
前記第１および第２のシール要素を配設するための間隙を形成するよう前記外側ハウジング部材に対して結合された内側ハウジング部材と、を具備してなり、
前記内側ハウジング部材は、間隙によって環状突出部から分離させられたフレキシブルアームを具備してなる可撓領域を具備してなり、この可撓領域は、使用時に前記第１および第２のシール要素が前記シャフトと係合することを可能とする動的シールを形成するよう、前記シャフトに対して密着する端部と逆側の端部で前記第１および第２のシール要素と係合するよう構成されていることを特徴とするシールアセンブリ。
【請求項１９】
長手方向軸線に沿って延在するシャフトと静止面との間にシールを形成するための複合シールであって、
前記静止面に対して静的シールを形成するための半径方向外面を含む外側ハウジング部材であって、第１の境界面において割られた外側ハウジング部材と、
前記シャフトに対するシーリングのための動的シーリング面を含む動的シーリング要素を収容するための間隙を形成するよう前記外側ハウジング部材に対して結合された内側ハウジング部材であって、前記第１の境界面と互い違いに配置されると共に前記第１の境界面から離間させられた第２の境界面において割られ、かつ一つ以上のシール要素に対して半径方向荷重を作用させるために突出部に対して連結されたフレキシブルアームを備えた内側ハウジング部材と、を具備してなることを特徴とする複合シール。
【請求項２０】
前記間隙内に嵌め込まれた動的シーリング要素をさらに具備してなることを特徴とする請求項１９に記載の複合シール。
【請求項２１】
前記動的シーリング要素は第３の境界面において割られていることを特徴とする請求項２０に記載の複合シール。
【請求項２２】
前記第３の境界面は、前記第１および第２の境界面と互い違いに配置されていることを特徴とする請求項２１に記載の複合シール。
【請求項２３】
前記内側ハウジング部材は、前記外側ハウジング部材に対して堅固に結合されていることを特徴とする請求項１９に記載の複合シール。
【請求項２４】
前記第１の境界面は、
前記外側ハウジング部材の第１の割り面と、
前記第１の割り面に当接するよう構成された、前記外側ハウジング部材の第２の割り面と、を形成していることを特徴とする請求項２３に記載の複合シール。
【請求項２５】
前記第２の境界面は、前記内側および外側ハウジング部材が組み立てられた際に、
前記第１の割り面に対して突出する第３の割り面と、
前記第２の割り面に対して引っ込められた第４の割り境界面と、を形成することを特徴とする請求項２４に記載の複合シール。
【請求項２６】
前記第３の割り面と前記第２の割り面とは第１の相互連結縁部を形成すると共に、
前記第４の割り面と前記第２の割り面とは、前記第１の相互連結縁部と互いに噛み合う第２の相互連結縁部を形成し、前記第１および第２の境界面において、シールの分離を阻止するようになっていることを特徴とする請求項２５に記載の複合シール。